(57)【要約】【課題】カバーのロックを解除してカバーを開く際の操作性に配慮された媒体搬送装置を提供する。【解決手段】媒体搬送装置は、媒体を搬送する搬送経路を構成する装置本体と、装置本体に対し回動可能に設けられ、回動することにより装置本体の一部を覆う状態と開放する状態とをとり得る開閉体と、開閉体を装置本体に対してロックするロック状態とロックを解除するロック解除状態とを切り換えるロック手段と、開閉体の外面側に設けられ、スライドすることによりロック手段のロック状態からロック解除状態への状態切り換えを実行させる操作部材と、を備える。操作部材は、ロックを解除する方向にスライドする際、スライド方向の先端部が開閉体の内部に沈み込み、スライド方向と反対側の後端部が開閉体から突出する。【選択図】図７
2014197737.tif 000002
【特許請求の範囲】
【請求項１】
媒体を搬送する搬送経路を構成する装置本体と、
前記装置本体に対し回動可能に設けられ、回動することにより前記装置本体の一部を覆う状態と開放する状態とをとり得る開閉体と、
前記開閉体を前記装置本体に対してロックするロック状態と前記ロックを解除するロック解除状態とを切り換えるロック手段と、
前記開閉体の外面側に設けられ、スライドすることにより前記ロック手段の前記ロック状態から前記ロック解除状態への状態切り換えを実行させる操作部材と、を備え、
前記操作部材は、前記ロックを解除する方向にスライドする際、スライドに伴ってスライド方向と反対側の後端部が前記開閉体の外面から離間する方向に傾斜する、
ことを特徴とする媒体搬送装置。
【請求項２】
請求項１に記載の媒体搬送装置において、前記操作部材は、手指を掛ける指掛け部を備え、
前記操作部材は、前記ロックを解除する方向にスライドするに従い、前記指掛け部が全体的に前記開閉体の外面から離間する方向に傾斜しつつ、当該指掛け部におけるスライド方向と反対側の後端部が、前記スライド方向の先端部より大きく前記開閉体の外面から離間する、
ことを特徴とする媒体搬送装置。
【請求項３】
請求項２に記載の媒体搬送装置において、前記指掛け部は、前記開閉体の外面に設けられた凹部５１に配設され、
前記ロック手段が前記ロック状態にある際、前記指掛け部の上面は前記開閉体の外面と面一または前記外面から非突出状態となる、
ことを特徴とする媒体搬送装置。
【請求項４】
請求項２または３に記載の媒体搬送装置において、前記指掛け部は、前記後端部の下側が面取り状に形成されている、
ことを特徴とする媒体搬送装置。
【請求項５】
請求項３または４に記載の媒体搬送装置において、前記ロック手段が前記ロック状態にある際、前記凹部５１の内側側面と前記指掛け部の前記後端部との間に、手指が入り込む隙間が形成され、
前記凹部５１の底面には、前記隙間の領域から前記スライド方向に向かって上向き傾斜となる傾斜面が形成されている、
ことを特徴とする媒体搬送装置。
【請求項６】
請求項１から５のいずれか一項に記載の媒体搬送装置において、前記操作部材は前記開閉体の回動軸から離れた位置に設けられ、前記回動軸に向かってスライドすることにより、前記ロック手段の前記ロック状態から前記ロック解除状態への状態切り換えを実行させる、
ことを特徴とする媒体搬送装置。
【請求項７】
請求項１から６のいずれか一項に記載の媒体搬送装置において、前記操作部材は、前記ロックを解除する方向にスライドする際のスライド方向の先端部に、前記スライド方向と交差する方向に突出する突起を有し、
前記開閉体には、前記突起を案内する、前記スライド方向に沿って前記開閉体の内部に入り込む方向に傾斜して延びるガイド溝が設けられている、
ことを特徴とする媒体搬送装置。
【請求項８】
画像を読み取る画像読取手段と、
媒体を前記画像読取手段による画像読取位置に搬送する、請求項１から７のいずれか一項に記載の媒体搬送装置と、
を備えた画像読取装置
【発明の詳細な説明】
【技術分野】
【０００１】
本発明は、媒体を搬送する媒体搬送装置に関する。また本発明は、スキャナーに代表される画像読取装置に関する。
【背景技術】
【０００２】
スキャナーには複数枚の原稿をセット可能であるとともにセットされた原稿を一枚ずつ画像読取部へと搬送する、オートドキュメントフィーダー（ＡＤＦ）と呼ばれる原稿搬送装置が設けられる場合がある。以下、この原稿搬送装置を媒体搬送装置の一例として説明する。
【０００３】
一般的な原稿搬送装置はセットされた原稿を下向きに湾曲反転させ、画像読取部へと搬送する。この様な湾曲反転経路では紙ジャムが生じる場合があり、その為特許文献１記載の原稿搬送装置では、原稿搬送路を開放可能なカバーを設け、このカバーを開くことにより、詰まった原稿を除去する作業を行える様になっている。
【先行技術文献】
【特許文献】
【０００４】
【特許文献１】特開２０１１−１３０１６１号公報
【発明の概要】
【発明が解決しようとする課題】
【０００５】
上記のカバーは、特許文献１にも示される様に通常は開かない様にロックされており、操作ノブを操作することによってロック解除を行い、カバーを開く様に構成されている。しかしながら特許文献１記載の原稿搬送装置をはじめ、従来の原稿搬送装置では、カバーのロックを解除する操作部の操作性については特段考慮されておらず、必ずしも操作性が良好とは言えなかった。また、操作部の動きとカバーの開放動作との関係性が考慮されておらず、この点においても必ずしも操作性が良いとは言えなかった。
【０００６】
そこで本発明はこの様な状況に鑑みなされたものであり、その目的は、カバーのロックを解除してカバーを開く際の操作性に配慮された媒体搬送装置を提供することにある。
【課題を解決するための手段】
【０００７】
上記課題を解決する為の、本発明の第１の態様に係る媒体搬送装置は、媒体を搬送する搬送経路を構成する装置本体と、前記装置本体に対し回動可能に設けられ、回動することにより前記装置本体の一部を覆う状態と開放する状態とをとり得る開閉体と、前記開閉体を前記装置本体に対してロックするロック状態と前記ロックを解除するロック解除状態とを切り換えるロック手段と、前記開閉体の外面側に設けられ、スライドすることにより前記ロック手段の前記ロック状態から前記ロック解除状態への状態切り換えを実行させる操作部材と、を備え、前記操作部材は、前記ロックを解除する方向にスライドする際、スライドに伴ってスライド方向と反対側の後端部が前記開閉体の外面から離間する方向に傾斜することを特徴とする。
【０００８】
本態様によれば、スライドすることにより開閉体をロックするロック手段をロック状態からロック解除状態へ状態切り換えを実行させる操作部材は、スライドする際、スライドに伴ってスライド方向と反対側の後端部が前記開閉体の外面から離間する方向に傾斜するので、ロック解除操作が行い易く、しかも非操作時は開閉体からの前記後端部の離間（突出）量が少なくて済み、或いは前記後端部が前記開閉体から離間（突出）しないので、開閉体外面の美観を損ねることもない。
【０００９】
また同時に操作部材は、スライドすることにより上記ロック解除を行うので、操作部材が単純に回動動作する構成に比して、ロック機構に対して与える操作量を大きく確保できる。即ち、ロック機構のロック解除を容易に行うことができる。
【００１０】
本発明の第２の態様は、第１の態様において、前記操作部材は、手指を掛ける指掛け部を備え、前記操作部材は、前記ロックを解除する方向にスライドするに従い、前記指掛け部が全体的に前記開閉体の外面から離間する方向に傾斜しつつ、当該指掛け部におけるスライド方向と反対側の後端部が、前記スライド方向の先端部より大きく前記開閉体の外面から離間することを特徴とする。
【００１１】
本態様によれば、前記操作部材は手指を掛ける指掛け部を備え、前記操作部材は、前記ロックを解除する方向にスライドするに従い、前記指掛け部が全体的に前記開閉体の外面から離間する方向に傾斜しつつ、当該指掛け部におけるスライド方向と反対側の後端部が、前記スライド方向の先端部より大きく前記開閉体の外面から離間するので、当該後端部の大きな離間（突出）によって指掛け性が良好となりロック解除操作が行い易く、しかも非操作時は開閉体からの突出量が少なくて済み、或いは開閉体から突出しないので、開閉体外面の美観を損ねることもない。
【００１２】
また同時に操作部材は、スライドすることにより上記ロック解除を行うので、操作部材が単純に回動動作する構成に比して、ロック機構に対して与える操作量を大きく確保できる。即ち、ロック機構のロック解除を容易に行うことができる。
【００１３】
本発明の第３の態様は、第２の態様において、前記指掛け部は、前記開閉体の外面に設けられた凹部５１に配設され、前記ロック手段が前記ロック状態にある際、前記指掛け部の上面は前記開閉体の外面と面一または前記外面から非突出状態となることを特徴とする。
【００１４】
本態様によれば、前記指掛け部は、その上面が前記開閉体の外面と面一または前記外面から非突出状態となるので、前記操作部材の非操作時において開閉体外面の美観を損ねることがない
【００１５】
本発明の第４の態様は、第２のまたは第３の態様において、前記指掛け部は、前記後端部の下側が面取り状に形成されていることを特徴とする。  
本態様によれば、前記指掛け部は、前記後端部の下側が面取り状に形成されているので、より一層手指が掛け易くなり、開閉体のロック解除時の操作性がより一層向上する。
【００１６】
本発明の第５の態様は、第３のまたは第４の態様において、前記ロック手段が前記ロック状態にある際、前記凹部５１の内側側面と前記指掛け部の前記後端部との間に、手指が入り込む隙間が形成され、前記凹部５１の底面には、前記隙間の領域から前記スライド方向に向かって上向き傾斜となる傾斜面が形成されていることを特徴とする。
【００１７】
本態様によれば、前記凹部５１の底面には、前記隙間の領域から前記スライド方向に向かって上向き傾斜となる傾斜面が形成されているので、手指を前記隙間に差し入れて前記指掛け部をスライドさせる際、前記傾斜面が、手指を前記指掛け部の移動方向に案内する様に機能し、これにより前記指掛け部をスライドさせる際の操作性をより自然なものとすることができる。
【００１８】
本発明の第６の態様は、第１から第５の態様のいずれかにおいて、前記操作部材は前記開閉体の回動軸から離れた位置に設けられ、前記回動軸に向かってスライドすることにより、前記ロック手段の前記ロック状態から前記ロック解除状態への状態切り換えを実行させることを特徴とする。
【００１９】
本態様によれば、前記操作部材は、開閉体の回動軸に向かってスライドすることにより、前記ロック手段の前記ロック状態から前記ロック解除状態への状態切り換えを実行させるので、前記操作部材の操作方向と前記開閉体の開放方向とが逆方向とならず、ロック手段のロック解除操作と開閉体の開放操作とに関連性が生じる。即ち、前記操作部材をスライドさせた際の力の方向に沿ってそのまま開閉体に開き方向の力を与えることができるので、操作性良好に、前記開閉体のロック解除操作と開放操作とを行うことができる。
【００２０】
本発明の第７の態様は、第１から第６の態様のいずれかにおいて、前記操作部材は、前記ロックを解除する方向にスライドする際のスライド方向の先端部に、前記スライド方向と交差する方向に突出する突起を有し、前記開閉体には、前記突起を案内する、前記スライド方向に沿って前記開閉体の内部に入り込む方向に傾斜して延びるガイド溝が設けられていることを特徴とする。
【００２１】
本態様によれば、前記操作部材は、前記開閉体に形成されたガイド溝に案内される突起を有し、前記突起が前記ガイド溝に案内されることによりスライド動作及び当該スライド動作に伴い姿勢変化させるので、前記操作部材のスライド構造を簡易且つ安価に構成できる。
【００２２】
本発明の第８の態様に係る画像読取装置は、画像を読み取る画像読取手段と、媒体を前記画像読取手段による画像読取位置に搬送する、第１から第７の態様のいずれか係る媒体搬送装置とを備えたことを特徴とする。本態様によれば、画像読取装置において、上述した第１から第７の態様のいずれかの作用効果が得られる。
【図面の簡単な説明】
【００２３】
【図１】プリンター複合機の外観を示す斜視図である。
【図２】プリンター複合機の外観を示す斜視図である。
【図３】カバーが開かれた原稿搬送装置を示す図である。
【図４】レバーが設けられているカバーの部分の外観を拡大して示す拡大図である。
【図５】レバーが設けられているカバーの構成を示す断面図である。
【図６】レバーの構成を示す断面図である。
【図７】レバーが設けられているカバーの部分の外観を拡大して示す拡大図である。
【図８】レバーが設けられているカバーの構成を示す断面図である。
【図９】レバーの構成を示す断面図である。
【図１０】カバーの内部の構成を示す断面図である。
【図１１】カバーの左手前の内部の構成を拡大して示す断面図である。
【図１２】ロックピンの貫通部によるロックを説明する図である。
【図１３】カバーの左手前の内部の構成を拡大して示す断面図である。
【図１４】カバーの内部の構成を示す断面図である。
【発明を実施するための形態】
【００２４】
以下、本発明の実施の形態を図面に基づいて説明する。  
図１および図２は、本発明に係る媒体搬送装置の一例である原稿搬送装置２を備えた、画像読取装置としてのプリンター複合機１１の外観を示す斜視図である。図１は、原稿搬送装置２のカバーを閉じた状態のプリンター複合機１１の外観を示す斜視図である。図２は、原稿搬送装置２のカバー３１を開いた状態のプリンター複合機１１の外観を示す斜視図である。
【００２５】
プリンター複合機１１は、印刷機能及びスキャナー機能を有し、媒体の一例としての原稿の画像を読み取ることができ、また、被記録媒体の一例としての用紙に記録することができる。プリンター複合機１１は、複合機本体２１と原稿搬送装置２２とを備えている。
【００２６】
複合機本体２１は、ユーザーによって操作される操作パネル１２、用紙を搬送する搬送部（不図示）、インクなどによって用紙に文字または画像を描画する記録ヘッド（不図示）、全体を制御する制御部（不図示）などが筐体に格納されてなる。なお、ユーザーとは、エンドユーザーに限られず、プリンター１の組立作業またはアフターメンテナンスを行う人など、プリンター１を扱う全ての人を意味する。
【００２７】
なお、プリンター複合機１１に対して前後の方向をＹ軸で図示し、上下の方向をＺ軸で図示し、左右の方向をＸ軸で図示する。また、以下、Ｘ軸方向のうち、図１中の左側をＸ＋側とし、Ｘ軸方向のうち、図１中の右側をＸ−側とする。さらに、以下、Ｙ軸方向のうち、図１中の手前側をＹ＋側とし、Ｙ軸方向のうち、図１中の奥側をＹ−側とする。さらにまた、以下、Ｚ軸方向のうち、図１中の上側をＺ＋側とし、Ｚ軸方向のうち、図１中の下側をＺ−側とする。
【００２８】
プリンター複合機１１の側面のうち、操作パネル１２および給紙カセット１３が設けられている側がプリンター複合機１１のＹ＋側、すなわち、正面である。また、プリンター複合機１１の側面のうち、原稿搬送装置２２が設けられている側がプリンター複合機１１のＺ＋側（上側）である。
【００２９】
複合機本体２１の上側には、媒体の一例である原稿に記録されている写真や文書等の情報を読み取るスキャナー（細部不図示）が設けられている。例えば、原稿搬送装置２２によって、原稿が送られた場合、原稿に記録されている情報がスキャナーによって読み取られる。原稿搬送装置２２は、媒体搬送装置の一例であり、原稿を搬送する。すなわち、原稿搬送装置２２は、原稿に記録されている情報がスキャナーによって読み取りできるように原稿を搬送する。
【００３０】
搬送される原稿は、原稿載置面３５上にセットされ、そしてＸ方向に沿った方向（図１左方向）に送り出される。送り出された原稿は、搬送装置本体３０内で湾曲反転させられ、Ｘ方向に沿った方向（図１右方向）に送られて、原稿排出面３６上に排出される。
【００３１】
原稿搬送装置２２の搬送装置本体３０の左上には、カバー３１が設けられている。カバー３１は、搬送装置本体３０に対し回動可能に設けられ、回動することにより搬送装置本体３０の一部を覆う状態と開放する状態とをとり得る。すなわち、カバー３１の右側には、Ｙ軸方向の回動軸３１ａ（図１０）が設けられている。これにより、カバー３１は、搬送装置本体３０に対して、回動軸３１ａを中心として図１および図２中時計回りに回動させられることにより、図２に示されるように開かれて、搬送装置本体３０の一部が開放される。
【００３２】
また、カバー３１は、搬送装置本体３０に対して、回動軸を中心として図１および図２中反時計回りに回動させられることにより、図１に示されるように閉じられ、搬送装置本体３０の一部を覆う。また、カバー３１は、搬送装置本体３０に対してロックされるロック状態またはロックが解除されるロック解除状態のいずれか一方の状態を取り得る。ロック状態からロックを解除するには、後述する指掛け部７１に指を掛けて操作する。
【００３３】
次に、原稿搬送装置２２の搬送装置本体３０の搬送経路を説明する。図３は、カバー３１が開かれた原稿搬送装置２２を示す図である。カバー３１の下側の面には、ローラー３２および搬送路形成部３３が設けられている。また、カバー３１が開かれて解放された搬送装置本体３０の上面には、搬送路形成部３４が設けられている。カバー３１が閉じられたとき、ローラー３２および搬送路形成部３３と搬送路形成部３４とは、対向して配置される。
【００３４】
ローラー３２は、図示せぬ駆動部によって駆動され、原稿を搬送する場合、図３中時計方向に回転して、原稿を図３中左方向に送る。搬送路形成部３３および搬送路形成部３４は、それぞれ、各種のプラスチック材料や金属製の案内部材などによって構成され、カバー３１が閉じられたとき、対向して配置されることで、原稿の搬送路を形成する。すなわち、原稿搬送装置２２で原稿が搬送される場合、ローラー３２によって駆動力が伝達された原稿は、搬送路形成部３３および搬送路形成部３４で形成された搬送路を通って送られる。このとき、スキャナーによって原稿に記録されている情報が読み取られる。このように、搬送装置本体３０は、原稿を搬送する搬送経路を構成する。  
そして、カバー３１を開くことで、搬送経路で詰まった原稿を除去することができる。
【００３５】
次に、カバー３１のロックを解除するためのレバー５２について説明する。まず、カバー３１がロック状態にあり、操作されていないレバー５２を図４乃至図６を参照して説明する。図４は、レバー５２が設けられているカバー３１の部分の外観を拡大して示す拡大図である。図５は、レバー５２が設けられているカバー３１の構成を示す断面図である。図６は、レバー５２の構成を示す断面図である。
【００３６】
図４に示されるように、カバー３１の上面には、上から見て矩形状の窪みである凹部５１が設けられている。カバー３１をロック解除状態とするためのレバー５２は、凹部５１に対応する形状に形成され、凹部５１に嵌められている。レバー５２はカバー３１の回動軸３１ａから離れた位置に設けられ、回動軸３１ａ（より詳しくは回動中心線）に向かってスライドすることにより、ロック状態からロック解除状態への状態切り換えを実行させる。
【００３７】
レバー５２には、指掛け部７１、スライド軸７２、支え７３、回動軸７４、当たり部７５、および面取り部７６が形成されている。指掛け部７１は、レバー５２の後側（Ｘ＋側）に設けられている。指掛け部７１は、ロックを解除するためレバー５２を操作する場合、ユーザーの指が掛けられて引き上げられる。凹部５１に嵌められているレバー５２の指掛け部７１の上面は、カバー３１の上面と面一となるか、またはカバー３１の上面より上には突き出さない状態、いわゆる非突出状態となる。
【００３８】
スライド軸７２は、レバー５２の右側（Ｘ−側）に設けられている、Ｙ軸方向に突出した円筒状の突起である。スライド軸７２は、カバー３１の上側の面の裏面に形成されているガイド溝８１に挿入されている。ガイド溝８１は、右側（Ｘ−側）に変位するに従って下に変位する、いわゆる右下がりに傾斜した長円状の溝である。ガイド溝８１は、円筒状の突起であるスライド軸７２が挿入可能であって、その中をスライド軸７２が移動できる形状とされている。スライド軸７２は、右側（Ｘ−側）に移動するに従い、ガイド溝８１によって、下げられることになる。
【００３９】
すなわち、レバー５２には、ロックを解除する方向にスライドする際のスライド方向（この場合、右側（Ｘ−側））の先端部５１ｃに、スライド方向と交差する方向に突出する突起であるスライド軸７２が設けられている。そして、カバー３１には、スライド軸７２を案内する、スライド方向に沿ってカバー３１の内部に入り込む方向に延びるガイド溝８１が設けられている。
【００４０】
支え７３は、Ｘ軸方向において、指掛け部７１とスライド軸７２との間に、下向きに伸びるように形成されている。支え７３の下端には、回動軸７４が設けられている。回動軸７４は、Ｙ軸方向に突出した円筒状の突起である。回動軸７４は、リンク９１の右側（Ｘ−側）の端部に設けられている凹部１０１に回動自在に嵌められている。なお、リンク９１の動きが伝達されるリンク９２については後述する。
【００４１】
当たり部７５は、スライド軸７２の上側に、Ｘ軸およびＹ軸により規定される面、すなわち水平面に平行の面として形成されている。当たり部７５は、レバー５２が操作されていないとき、カバー３１の上側の面の裏面に当たり、レバー５２の姿勢を規定する。面取り部７６は、指掛け部７１の左端に左上がり（右下がり）状の面に形成されている。凹部５１の底面には、嵌められているレバー５２の面取り部７６に対向する位置に、右上がり（左下がり）の面である傾斜面８２が形成されている。
【００４２】
次に、カバー３１をロック状態からロック解除状態に切り換える操作がされたレバー５２の動作を図７乃至図９を参照して説明する。図７は、レバー５２が設けられているカバー３１の部分の外観を拡大して示す拡大図である。図８は、レバー５２が設けられているカバー３１の構成を示す断面図である。図９は、レバー５２の構成を示す断面図である。
【００４３】
カバー３１をロック解除状態に切り換える場合、ユーザーは、凹部５１と指掛け部７１との間に手指を差し入れて、指掛け部７１を引き上げる。カバー３１がロック状態にあり、レバー５２が操作されていない場合、指掛け部７１の左端部の下側、すなわち、面取り部７６が面取り状に形成されているので、より一層手指が掛け易くなり、操作性がより一層向上する。
【００４４】
また、カバー３１がロック状態にあり、レバー５２が操作されていない場合、凹部５１の内側側面５１ａ（図６）と指掛け部７１の後端部５２ａ（この場合、レバー５２のＸ＋方向端部）との間に、手指が入り込む隙間が形成され、凹部５１の底面には、隙間の領域からスライド方向に向かって上向き傾斜となる傾斜面８２が形成されているので、手指を隙間に差し入れて指掛け部７１をスライドさせる際、傾斜面８２が、手指を指掛け部７１の移動方向に案内する様に機能し、これにより指掛け部７１をスライドさせる際の操作性をより自然なものとすることができる。
【００４５】
凹部５１と指掛け部７１との間に差し入れられた手指によって、レバー５２の指掛け部７１が引き上げられると、レバー５２は、ロックを解除する方向として図６中右方向にスライドする。レバー５２が右側（Ｘ−側）にスライドさせられると、図８に示されるように、ガイド溝８１に挿入されているスライド軸７２は、右側（Ｘ−側）に移動するに従い、ガイド溝８１によって下げられる。
【００４６】
従って、レバー５２は、ロックを解除する方向にスライドする際、スライド方向の先端部５１ｃ（この場合、レバー５２の右側（Ｘ−側））がカバー３１の内部に沈み込み、スライド方向と反対側の後端部５２ａ（この場合、レバー５２の左側（Ｘ＋側））がカバー３１の外面から突出（離間）する。さらに詳細には、レバー５２は、ロックを解除する方向にスライドするに従い、指掛け部７１が全体的にカバー３１の外面から離間する方向に傾斜しつつ（カバー３１から突出しつつ）、指掛け部７１におけるスライド方向と反対側の後端部５２ａが、スライド方向の先端部５２ｂよりカバー３１の外面から大きく突出（離間）する。
【００４７】
レバー５２が、ロックを解除する方向として図６中右方向にスライドさせられると、支え７３の下端に設けられている回動軸７４が右側（Ｘ−側）に移動し、回動軸７４の右側（Ｘ−側）への移動とともに、リンク９１が右側（Ｘ−側）に移動する。このとき、回動軸７４は、リンク９１の右側（Ｘ−側）の端部に設けられている凹部１０１に回動自在に嵌められているので、レバー５２の回動を妨げることがない。
【００４８】
また、ロック解除操作されるときのレバー５２の動きは、カバー３１の回動軸３１ａに向かう方向（図６及び図９中右方向）であり、即ちレバー５２の操作方向は、カバー３１の開き方向に沿った方向となる。従って、レバー５２を操作する力がそのままカバー３１を開く力として作用することになり、ロック解除操作とカバー３１の開放操作とに関連性が生じる。即ち、レバー５２をスライドさせた際の力の方向に沿ってそのままカバー３１に開き方向の力を与えることができるので、操作性良好に、カバー３１のロック解除操作と開放操作とを行うことができる。
【００４９】
次に、カバー３１を搬送装置本体３０にロックし、そのロックを解除する機構およびその動作について図１０乃至図１４を参照して説明する。図１０は、ロックされているカバー３１の内部の構成を示す断面図である。図１１は、ロックされているカバー３１の左手前の内部の構成を拡大して示す断面図である。
【００５０】
リンク９１のＸ＋側の端部は、回動ピン１３１に接続されている。回動ピン１３１は、リンク９２およびロックピン１３２に接続されている。
【００５１】
図１１に示されるように、回動ピン１３１には、回転軸１５１、カム１５２、接続ピン１５３、および接続穴１５４が設けられている。回動ピン１３１は、回転軸１５１によって、カバー３１の本体にＺ軸回りに回動できるように止められている。カム１５２には、リンク９１のＸ＋側の端部１７１が引っ掛けられている。
【００５２】
接続ピン１５３は、リンク９２のＹ＋側の端部１８１に回動自在に止められている。リンク９２は、前後（図１１中左右方向：Ｙ方向）に伸びる形状とされ、Ｙ方向に移動可能にカバー３１に設けられている。リンク９２の後端は、ロックピン１３３に接続されている。接続穴１５４は、長円状に形成されている。接続穴１５４には、ロックピン１３２の突起２０１が挿入されている。また、ロックピン１３２の部分のうち、カバー３１の側面側の部分は、円筒状の貫通部２０２として形成されている。
【００５３】
ロックされている場合、ロックピン１３２の貫通部２０２は、図１２に示される搬送装置本体３０のフレーム２２１に設けられている円形の穴２３１から突出している。なお、図示は省略するが、ロックされている場合、ロックピン１３３の貫通部も、搬送装置本体３０のフレームに設けられている円形の穴に挿入される。このように、ロックピン１３２の貫通部２０２が、搬送装置本体３０のフレーム２２１の穴２３１から突出し、ロックピン１３３の貫通部が、搬送装置本体３０のフレームに設けられている穴から突出すると、カバー３１の左側（Ｘ＋側）が搬送装置本体３０に固定されることになり、カバー３１はロックされる。
【００５４】
一方、レバー５２が右方向にスライドさせられると、ロックは解除される。レバー５２が右方向（Ｘ−方向）にスライドさせられると、図１３に示されるように、リンク９１はＸ−方向に移動させられる。リンク９１がＸ−方向に移動させられると、カム部１５２が端部１７１によって引っ張られて、回動ピン１３１は、回転軸１５１を中心に、図１３中時計方向に回動させられる。
【００５５】
回動ピン１３１が回転軸１５１を中心に時計方向に回動させられると、リンク９２のＹ＋側の端部に回動自在に止められている接続ピン１５３によってリンク９２の端部１８１がＹ＋側に引っ張られるので、リンク９２は図１３中左側（Ｙ＋側）に移動させられる。また、回動ピン１３１が回転軸１５１を中心に時計方向に回動させられると、接続穴１５４に挿入されている突起２０１が図１３中右側（Ｙ−側）に移動するので、ロックピン１３２が図１３中右側（Ｙ−側）に移動する。すると、ロックピン１３２の貫通部２０２が、搬送装置本体３０のフレーム２２１の穴２３１から外れ、カバー３１の内側に引っ込む。
【００５６】
また、図１４に示されるように、リンク９２は図１４中左側（Ｙ＋側）に移動させられると、リンク９２の端部に設けられている係合部３０１が、ロックピン１３３の突起３２１を図１４中左側（Ｙ＋側）に引っ張る。係合部３０１によって突起３２１が前側（Ｙ＋側）に引っ張られると、ロックピン１３３が図１４中左側（Ｙ＋側）に移動する。その結果、ロックピン１３３の部分のうち、カバー３１の後側（Ｙ−側）の側面側の部分に形成されている貫通部３２２が、搬送装置本体３０のフレームの穴（図示せず）から外れ、カバー３１の内側に引っ込む。
【００５７】
このように、ロックピン１３２の貫通部２０２が、搬送装置本体３０のフレーム２２１の穴２３１から外れ、ロックピン１３３の貫通部３２２が、搬送装置本体３０のフレームの穴から外れるので、カバー３１のロックは解除されることになる。
【００５８】
すなわち、ロックピン１３２およびロックピン１３３は、カバー３１を搬送装置本体３０に対してロックするロック状態とロックを解除するロック解除状態とを切り換える。レバー５２は、カバー３１の外面側に設けられ、スライドすることによりロックピン１３２およびロックピン１３３のロック状態からロック解除状態への状態切り換えを実行させる。
【００５９】
以上のように、原稿搬送装置２２には、原稿を搬送する搬送経路を構成する搬送装置本体３０と、搬送装置本体３０に対し回動可能に設けられ、回動することにより搬送装置本体３０の一部を覆う状態と開放する状態とをとり得るカバー（開閉体）３１と、カバー３１を搬送装置本体３０に対してロックするロック状態とロックを解除するロック解除状態とを切り換えるロックピン（ロック手段）１３２および１３３と、カバー３１の外面側に設けられ、スライドすることによりロックピン１３２および１３３のロック状態からロック解除状態への状態切り換えを実行させるレバー（操作部材）５２と、が設けられ、レバー５２は、ロックを解除する方向にスライドする際、スライド方向の先端部５１ｃがカバー３１の内部に沈み込み、スライド方向と反対側の後端部５２ａがカバー３１から突出する。換言すれば、レバー５２がスライドに伴ってスライド方向と反対側の後端部５２ａがカバー３１の外面から離間する方向に傾斜する。
【００６０】
また、指掛け部７１の状態に着目すると、レバー５２がロックを解除する方向にスライドするに従い、指掛け部７１が全体的にカバー３１から突出しつつ、当該指掛け部７１におけるスライド方向と反対側の後端部５２ａが、スライド方向の先端部５２ｂよりカバー３１の外面から大きく突出する。換言すれば、レバー５２はロックを解除する方向にスライドするに従い、指掛け部７１が全体的にカバー３１の外面から離間する方向に傾斜しつつ、当該指掛け部７１におけるスライド方向と反対側の後端部５２ａが、スライド方向の先端部５２ｂより大きくカバー３１の外面から離間する。
【００６１】
スライドすることによりカバー３１をロックするロックピン１３２および１３３をロック状態からロック解除状態へ状態切り換えを実行させるレバー５２は、スライドする際、スライド方向の先端部５１ｃがカバー３１の内部に沈み込み、スライド方向と反対側の後端部５２ａがカバー３１から突出するので、スライド方向の後端部５２ａが突出することでロック解除操作が行い易く、しかも非操作時はカバー３１からの突出量が少なくて済み、或いはカバー３１から突出しないので、カバー３１外面の美観を損ねることもない。
【００６２】
また同時にレバー５２は、スライドすることにより上記ロック解除を行うので、レバー５２が単純に回動動作する構成に比して、ロック機構であるロックピン１３２および１３３に対して与える操作量を大きく確保できる。即ち、ロック機構のロック解除を容易に行うことができる。
【００６３】
指掛け部７１は、カバー３１の外面に設けられた凹部５１に配設され、ロックピン１３２および１３３がロック状態にある際、指掛け部７１の上面はカバー３１の外面と面一または外面から非突出状態となる。指掛け部７１は、その上面がカバー３１の外面と面一または外面から非突出状態となるので、レバー５２の非操作時においてカバー３１外面の美観を損ねることがない
【００６４】
指掛け部７１は、後端部の下側（面取り部７６）が面取り状に形成されている。指掛け部７１は、後端部の下側が面取り状に形成されているので、より一層手指が掛け易くなり、カバー３１のロック解除時の操作性がより一層向上する。
【００６５】
ロックピン１３２およびロックピンがロック状態にある際、凹部５１の内側側面５１ａと指掛け部７１の後端５２ａ部との間に、手指が入り込む隙間が形成され、凹部５１の底面には、隙間の領域からスライド方向に向かって上向き傾斜となる傾斜面８２が形成されている。凹部５１の底面には、隙間の領域からスライド方向に向かって上向き傾斜となる傾斜面８２が形成されているので、手指を隙間に差し入れて指掛け部７１をスライドさせる際、傾斜面８２が、手指を指掛け部７１の移動方向に案内する様に機能し、これにより指掛け部７１をスライドさせる際の操作性をより自然なものとすることができる。
【００６６】
レバー５２はカバー３１の回動軸３１ａから離れた位置に設けられ、回動軸３１ａ（回動中心線）に向かってスライドすることにより、ロックピン１３２および１３３のロック状態からロック解除状態への状態切り換えを実行させる。レバー５２は、カバー３１の回動軸３１ａに向かってスライドすることにより、ロックピン１３２および１３３のロック状態からロック解除状態への状態切り換えを実行させるので、レバー５２の操作方向とカバー３１の開放方向とが逆方向とならず、ロックピン１３２および１３３のロック解除操作とカバー３１の開放操作とに関連性が生じる。即ち、レバー５２をスライドさせた際の力の方向に沿ってそのままカバー３１に開き方向の力を与えることができるので、操作性良好に、カバー３１のロック解除操作と開放操作とを行うことができる。
【００６７】
レバー５２は、ロックを解除する方向にスライドする際のスライド方向の先端部に、スライド方向と交差する方向に突出する突起であるスライド軸７２を有し、カバー３１には、突起を案内する、スライド方向に沿ってカバー３１の内部に入り込む方向に延びるガイド溝８１が設けられている。レバー５２は、カバー３１に形成されたガイド溝８１に案内されるスライド軸７２を有し、スライド軸７２がガイド溝８１に案内されることによりスライド動作及び当該スライド動作に伴い姿勢変化させるので、レバー５２のスライド構造を簡易且つ安価に構成できる。
【００６８】
尚、本発明は上記実施例に限定されることなく、特許請求の範囲に記載した発明の範囲内で、種々の変形が可能であり、それらも本発明の範囲内に含まれるものであることは言うまでもない。
【００６９】
例えば、上記実施例は本発明に係る媒体搬送装置を、スキャナーに設けられる原稿搬送装置（いわゆるオートドキュメントフィーダ−）に適用した例であるが、被記録媒体に記録を行う記録装置、例えばプリンターに適用することができる。また或いは、その他の電子機器など、装置本体に対して開閉可能な開閉体のロックを解除する操作部材に対して適用することができる。
【符号の説明】
【００７０】
１１  プリンター複合機、１２  操作パネル、１３  給紙カセット、２１  複合機本体、２２  原稿搬送装置、３０  搬送装置本体、３１  カバー、３１ａ  回動軸、３２  ローラー、３３  搬送路形成部、３４  搬送路形成部、３５  原稿載置面、３６  原稿排出面、５１  凹部、５２  レバー、５２ａ  後端部、５２ｂ  先端部、５２ｃ  先端部、７１  指掛け部、７２  スライド軸、７３  支え、７４  回動軸、７５  当たり部、７６  面取り部、８１  ガイド溝、８２  傾斜面、９１および９２  リンク、１０１  凹部、１３１  回動ピン、１３２および１３３  ロックピン、１５１  回転軸、１５２  カム部、１５３  接続ピン、１５４  接続穴、１７１  端部、１８１  端部、２０１  突起、２０２  貫通部、２２１  フレーム、２３１  穴、３０１  鉤、３２１  突起、３２２  貫通部
【図１】
2014197737.tif 000003
【図２】
2014197737.tif 000004
【図３】
2014197737.tif 000005
【図４】
2014197737.tif 000006
【図５】
2014197737.tif 000007
【図６】
2014197737.tif 000008
【図７】
2014197737.tif 000009
【図８】
2014197737.tif 000010
【図９】
2014197737.tif 000011
【図１０】
2014197737.tif 000012
【図１１】
2014197737.tif 000013
【図１２】
2014197737.tif 000014
【図１３】
2014197737.tif 000015
【図１４】
2014197737.tif 000016